(57)【要約】【課題】一般的な横引き式のカーテンを用いながらも、その使い勝手を損なうことなく、カーテン周りや隣接するカーテン間に生じる隙間からの音漏れを防止して、窓等の開口部における遮音性能を向上させる。【解決手段】窓等の開口部１の室内側に、カーテンレール１４に吊り下げ支持されて横引き自在とされた一対のカーテン２、２を横並びに配置する。これらカーテン２、２の上端部３、３を、室内の内壁面１０に横方向に沿って設けた吸音材１５付きのカバー部材１１によって覆い隠し、これらカーテン２、２の側端部４、４を、室内の内壁面１０に縦方向に沿って設けた係合溝２１、２１内へ挿入して係止し、これらカーテン２、２の召し合わせ端部５、５同士を、互いに重ね合わせるように連結部材３０、３０を介して着脱可能に連結する。【選択図】図１
2008049031.tif 000002
【特許請求の範囲】
【請求項１】
窓等の開口部（１）の室内側に、カーテンレール（１４）に吊り下げ支持されて横引き自在とされた複数のカーテン（２）（２）を横並びに配置するとともに、これらカーテン（２）（２）の上端部（３）（３）を、室内の内壁面（１０）に横方向に沿って設けた吸音材（１５）付きのカバー部材（１１）によって覆い隠し、前記複数のカーテン（２）（２）のうち左右両側に位置するカーテン（２）（２）の側端部（４）（４）を、前記室内の内壁面（１０）若しくは前記開口部（１）の開口枠（２２）に縦方向に沿って設けた係合溝（２１）（２１）内へ挿入して係止し、前記複数のカーテン（２）（２）の召し合わせ端部（５）（５）同士を、互いに重ね合わせるように連結部材（３０）（３０）を介して着脱可能に連結したことを特徴とする窓等の開口部の遮音構造。
【請求項２】
前記複数のカーテン（２）（２）の下端部（６）（６）に沿って錘（３５）・・を取り付けて、前記カーテン（２）（２）の下端部（６）（６）を室内の床面（３６）に押し付けるようにした請求項１記載の窓等の開口部の遮音構造。
【請求項３】
前記複数のカーテン（２）（２）を、室内側へ平面視略コ字状に張り出すようにして配置した請求項１又は２記載の窓等の開口部の遮音構造。
【請求項４】
前記カバー部材（１１）は、前記室内の内壁面（１０）から張り出して前記カーテン（２）（２）の上端部（３）（３）の上側を覆う上被覆部（１２）と、この上被覆部（１２）から垂下して前記カーテン（２）（２）の上端部（３）（３）の室内側を覆う前被覆部（１３）とを備え、前記上被覆部（１２）の下面及び／又は前被覆部（１３）の後面に、前記吸音材（１５）を取り付けた請求項１乃至３のいずれかに記載の窓等の開口部の遮音構造。
【請求項５】
前記複数のカーテン（２）（２）に、複数の付加質量体（４０）・・を分散配置した請求項１乃至４のいずれかに記載の窓等の開口部の遮音構造。
【請求項６】
前記連結部材（３０）（３０）は、前記複数のカーテン（２）（２）の召し合わせ端部（５）（５）に沿って取り付けたマグネット材（３１）・・からなり、前記マグネット材（３１）・・によって隣接するカーテン（２）の前記付加質量体（４０）・・を選択的に吸着することで、召し合わせ端部（５）（５）同士の重ね代を調整可能とした請求項５記載の窓等の開口部の遮音構造。
【発明の詳細な説明】
【技術分野】
【０００１】
この発明は、窓等の開口部の室内側に設ける横引き式のカーテンを利用して、遮音性能の向上を図るようにした窓等の開口部の遮音構造に関する。
【背景技術】
【０００２】
音楽室やシアタールームの遮音性能を高めるためには、窓等の開口部における遮音性能の検討が必要不可欠となる。窓等の開口部は、音楽室やシアタールームを構成する壁部分の中でも特に遮音性能が劣る。すなわち、可動部分である障子間に生じる隙間、障子と開口部枠との間に生じる隙間の影響によって、特に中高周波数帯域の音に対する遮音性能が極めて悪くなっている。
【０００３】
従来より、このような窓等の開口部の遮音性能を向上するために、二重サッシを用いたり、開口部を覆うシャッターを設置するといった対策が施されているが、いずれも大掛かりな工事が必要となって施工費が高騰するとともに、開口部の開閉作業が煩雑となって使い勝手が悪くなり、さらに重厚感を与えることになって見栄えも悪くなるといった不具合があった。
【０００４】
そこで、例えば特許文献１や特許文献２に開示されているように、開口部の室内側に配置するカーテンを利用して、このカーテンの周端部に生じる隙間を塞いで音漏れを防止することで、簡単かつ安価に開口部における遮音性能を高めるようにした構造のものが提案されている。
【０００５】
【特許文献１】実開昭５１−９９４５１号公報
【特許文献２】実開平３−７６９９１号公報
【発明の開示】
【発明が解決しようとする課題】
【０００６】
窓等の開口部を覆うカーテンとしては、カーテンレールに吊り下げ支持された横引き式ものが一般的に多く使用されている。しかしながら、窓等の開口部の遮音性能を高めるために使用するカーテンとしては、上記の特許文献１や特許文献２に開示されているような巻き上げ式のものばかりで、一般的な横引き式のカーテンについてはほとんど検討されていないのが現状である。
【０００７】
そこで、この発明は、上記に鑑み、一般的な横引き式のカーテンを用いながらも、その使い勝手を損なうことなく、カーテン周りや隣接するカーテン間からの音漏れを防止して、窓等の開口部における遮音性能を向上させることができる遮音構造の提供を目的とする。
【課題を解決するための手段】
【０００８】
上記課題を解決するため、この発明の遮音構造は、窓等の開口部１の室内側に、カーテンレール１４に吊り下げ支持されて横引き自在とされた複数のカーテン２、２を横並びに配置するとともに、これらカーテン２、２の上端部３、３を、室内の内壁面１０に横方向に沿って設けた吸音材１５付きのカバー部材１１によって覆い隠し、前記複数のカーテン２、２のうち左右両側に位置するカーテン２、２の側端部４、４を、前記室内の内壁面１０若しくは前記開口部１の開口枠２２に縦方向に沿って設けた係合溝２１、２１内へ挿入して係止し、前記複数のカーテン２、２の召し合わせ端部５、５同士を、互いに重ね合わせるように連結部材３０、３０を介して着脱可能に連結したことを特徴とする。なお、ここでのカーテンとは、開口部全体を覆う幕全般を意味しており、必ずしも外光を遮断する機能を有している必要はなく、例えば透明若しくは半透明のものであっても良い。
【０００９】
また、前記複数のカーテン２、２の下端部６、６に沿って錘３５・・を取り付けて、前記カーテン２、２の下端部６、６を室内の床面３６に押し付けるようにしている。
【００１０】
さらに、前記複数のカーテン２、２を、室内側へ平面視略コ字状に張り出すようにして配置している。
【００１１】
具体的に、前記カバー部材１１は、前記室内の内壁面１０から張り出して前記カーテン２、２の上端部３、３の上側を覆う上被覆部１２と、この上被覆部１２から垂下して前記カーテン２、２の上端部３、３の室内側を覆う前被覆部１３とを備え、前記上被覆部１２の下面及び／又は前被覆部１３の後面に、前記吸音材１５を取り付けている。
【００１２】
また、前記複数のカーテン２、２に、複数の付加質量体４０・・を分散配置している。そして、前記連結部材３０、３０は、前記複数のカーテン２、２の召し合わせ端部５、５に沿って取り付けたマグネット材３１・・からなり、前記マグネット材３１・・によって隣接するカーテン２の前記付加質量体４０・・を選択的に吸着することで、召し合わせ端部５、５同士の重ね代を調整可能としている。
【発明の効果】
【００１３】
この発明の遮音構造を適用することで、カーテンレールに吊り下げ支持された一般的な横引き式のカーテンを用いながらも、その使い勝手を損なうことなく、カーテン周りや隣接するカーテン間に生じる隙間からの音漏れを効果的に防止して、簡単かつ安価に窓等の開口部における遮音性能を高めることができる。
【００１４】
特に、カーテンの上端部については、単に隙間を閉塞するといった処理では、カーテンの横引きに際して支障をきたしてしまうので、吸音材付きのカバー部材によって覆い隠すといった処理を施している。これにより、カバー部材とカーテンの上端部との間に生じる隙間において音を回折させて減衰し、さらに回折の途中において吸音材によって音を吸音することができ、カーテンの上端部における音漏れを防止しながらも、カーテンの横引きに際して支障をきたすことはない。
【００１５】
また、このように音漏れを防止したカーテンを室内側へ張り出して設けることで、窓等の開口部の室内側にほぼ密閉された空気層が確保されて、断熱性能も高めることができる。
【００１６】
さらに、カーテンに付加質量体を取り付けることで、特定の周波数におけるカーテン自体の遮音性能を質量則により大きくして、窓等の開口部における遮音性能をより一層高めることができる。特に、カーテンからの音漏れを防止してもなお生じてしまう遮音欠損を抑制するようにして、付加質量体を取り付けることで、優れた遮音性能を実現することができる。
【００１７】
さらにまた、付加質量体を利用して、カーテンの召し合わせ端部同士の重ね代を調整可能とすることで、重ね代を大きく確保して、カーテン間からの音漏れをより確実に防止することができる。
【発明を実施するための最良の形態】
【００１８】
この発明の実施の形態について、図面を参照しつつ詳細に説明する。この発明の一実施形態に係る遮音構造は、図１に示すように、例えば音楽室やシアタールーム等の開口部としての窓１の室内側に、横引き式の一対のカーテン２、２を横並びに配置して、これらカーテン２、２の隙間からの音漏れを防止するとともに、カーテン２、２自体の遮音性能を大きくすることで、窓１における遮音性能の向上を図っている。なお、カーテン２、２は、遮音性を有する生地を用いて略方形状に形成したもので、一纏めに束ねることができるようになっている。
【００１９】
カーテン２、２の上端部３、３は、室内の内壁面１０に横方向に沿って設けたカバー部材１１によって覆い隠されている。カバー部材１１は、図１及び図２に示すように、室内の内壁面１０から略水平に張り出してカーテン２、２の上端部の上側を覆う平面視略方形状の上被覆部１２と、この上被覆部１２の端部から垂下してカーテン２、２の上端部の室内側を覆う平面視略コ字状の前被覆部１３とを備えている。
【００２０】
このカバー部材１１の上被覆部１２の端部下面には、カーテンレール１４が平面視略コ字状に取り付けられ、このカーテンレール１４には、カーテン２、２が横引き自在に吊り下げ支持されている。従って、カーテン２、２は、室内側へ平面視略コ字状に張り出すようにして配置されており、これによって、窓１の室内側に、カバー部材１１とカーテン２、２によって構成されるボックス状の囲いが配された状態となっている。
【００２１】
また、上被覆部１２の下面及び前被覆部１３の後面には、例えば発泡樹脂等からなる吸音材１５が夫々張り付けられている。なお、吸音材１５は、上被覆部１２の下面又は前被覆部１３の後面のいずれか一方に張り付けるようにしても良い。
【００２２】
このように、カバー部材１１によってカーテン２、２の上端部３、３を覆い隠すことで、カバー部材１１とカーテン２、２の上端部３、３との間に生じる隙間において音を回折させて減衰させることができ、さらに回折の途中において吸音材１５、１５によって音を吸音することができるので、カーテン２、２の上端部３、３からの音漏れを防止することができる。しかも、カーテン２、２の上端部３、３とカバー部材１１との間には隙間が生じているので、カーテン２、２の横引きに際してカーテン２、２がカバー部材１１に引っ掛かるといった不具合が生じることもなく、カーテン２、２の使い勝手を損なうことはない。
【００２３】
カーテン２、２の側端部４、４は、図３に示すように、室内の内壁面１０に窓１を挟むようにして縦方向に沿って埋め込んだ固定用レール部材２０、２０に固定されている。具体的に、各レール部材２０は、図４に示すように、室内側に開放する縦方向に沿った係合溝２１を有しており、この係合溝２１内にカーテン２の側端部４を折り返すように挿入して、係合溝２１にカーテン２の側端部４を取り外し可能に係止している。この場合、カーテン２、２は平面視略コ字状に配されていることから、カーテン２、２の側端部４、４は、室内の内壁面１０に対して略直交した状態となっており、レール部材２０、２０の係合溝２１、２１内へ無理なくスムーズに係止させることができる。なお、レール部材２０、２０は、室内の内壁面１０に取り付けるだけに限らず、例えば窓１の窓枠２２に取り付けるようにしても良い。
【００２４】
このように、カーテン２、２の側端部４、４を、レール部材２０、２０の係合溝２１、２１に夫々係止することで、カーテン２、２の側端部４、４と室内の内壁面１０との間に生じる隙間を閉塞して、カーテン２、２の側端部４、４からの音漏れを防止することができる。
【００２５】
カーテン２、２の召し合わせ端部５、５には、連結部材３０、３０が夫々取り付けられており、これら連結部材３０、３０を介して召し合わせ端部５、５同士を互いに重ね合わせるように着脱可能に連結している。連結部材３０、３０は、カーテン２の召し合わせ端部５、５に縦方向に沿って適宜間隔をあけて取り付けた複数のマグネット材３１・・からなる。
【００２６】
このように、カーテン２、２の召し合わせ端部５、５同士を、互いに重ね合わせるように連結することで、隣接するカーテン２、２間に生じる隙間を閉塞して、カーテン２、２間からの音漏れを防止することができる。なお、マグネット材３１・・は、縦方向に沿って適宜間隔をあけて取り付けるだけでなく、カーテン２の召し合わせ端部５、５に沿って連続して取り付けるようにしても良い。
【００２７】
カーテン２、２の下端部６、６には、横方向に沿って適宜間隔をあけて複数の錘３５・・が取り付けられ、この錘３５・・の重みによってカーテン２、２の下端部６、６が室内の床面３６に押し付けられている。これにより、カーテン２、２の下端部６、６と室内の床面３６との間に生じる隙間を閉塞して、カーテン２、２の下端部６、６からの音漏れを防止している。なお、このようにカーテン２、２の下端部６、６に沿って適宜間隔をあけて複数の錘３５・・を取り付けるだけでなく、カーテン２、２の下端部６、６に沿って連続した錘を取り付けるようにしても良い。
【００２８】
さらに、カーテン２、２には、例えば鉄製やマグネット製の複数の付加質量体４０・・が、縦方向及び横方向に沿って略等間隔に分散配置されている。これによって、カーテン２、２の面密度を高めて、カーテン２、２自体の遮音性能を大きくしている。特に、付加質量体４０・・の重量や配置は、カーテン２、２周り及びカーテン２、２間に生じる隙間からの音漏れを防止しても生じてしまう遮音欠損を抑制するように、すなわち遮音欠損となる周波数帯域の音を重点的に低減するように設定されている。なお、付加質量体４０・・の一部を、カーテン２、２の下端部６、６に取り付ける錘３５・・として利用しても良い。
【００２９】
また、このカーテン２、２に取り付けた付加質量体４０・・を利用して、図５に示すように、一方のカーテン２の召し合わせ端部５におけるマグネット材３１・・によって、他方のカーテン２の召し合わせ端部５付近の付加質量体４０・・を選択的に吸着するとともに、他方のカーテン２の召し合わせ端部５におけるマグネット材３１・・によって、一方のカーテン２の召し合わせ端部５付近の付加質量体４０・・を選択的に吸着することで、召し合わせ端部５、５同士の重ね代を調整することができるようになっている。これにより、重ね代を大きく確保することで、カーテン２、２間からの音漏れをより確実に防止することができる。
【００３０】
このように、上記の遮音構造を適用することで、カーテン２、２周りや隣接するカーテン２、２間に生じる隙間からの音漏れを効果的に防止するとともに、カーテン２、２自体の遮音性能を高めることができる。これにより、窓１における中高周波数帯域の音に対する遮音欠損を補って、外部から室内への騒音の侵入や室内から外部への騒音の漏れを抑制することができる。また、カバー部材１１とカーテン２、２によって構成されるボックス状の囲いによって、窓１の室内側が覆われるので、窓１の室内側にほぼ密閉された空気層が確保されて、断熱性能も高めることができる。さらに、カーテン２、２を使用しない場合には、窓１の左右両側に纏めて束ねることができ、窓１の開閉に際して邪魔になることがなく、収納場所の確保も不要である。
【００３１】
この発明は、上記実施形態に限定されるものではなく、この発明の範囲内で上記実施形態に多くの修正及び変更を加え得ることは勿論である。例えば、上記実施形態においては、カーテンレールに吊り下げ支持された一対のカーテンを用いて、窓等の開口部の遮音性能の向上を図るようにしていたが、カーテンレールに吊り下げ支持された３枚以上のカーテンを用いるようにしても良い。また、横引き式のカーテンを窓等の開口部のみに対応して設けるだけでなく、例えば開口部を含めた壁全体からの固体伝播音を遮音するために、室内仕上げ材として室内の開口部を含めた壁全面に対応して設けるようにしても良い。また、カーテンは、必ずしも窓の室内側に張り出すように設ける必要はなく、例えば室内の内壁面と略面一になるよう配置しても良い。
【図面の簡単な説明】
【００３２】
【図１】この発明の一実施形態に係る窓等の開口部の遮音構造を示す斜視図である。
【図２】同じくその縦断面図である。
【図３】同じくその横断面図である。
【図４】カーテンの側端部の係止状態を示す横断面図である。
【図５】付加質量体を利用したカーテンの召し合わせ端部同士の連結状態を示す横断面図である。
【符号の説明】
【００３３】
１・・開口部(窓)、２・・カーテン、３・・上端部、４・・側端部、５・・召し合わせ端部、６・・下端部、１０・・内壁面、１１・・カバー部材、１２・・上被覆部、１３・・前被覆部、１４・・カーテンレール、１５・・吸音材、２１・・係合溝、２２・・開口枠、３０・・連結部材、３１・・マグネット材、３５・・錘、３６・・床面、４０・・付加質量体
【図１】
2008049031.tif 000003
【図２】
2008049031.tif 000004
【図３】
2008049031.tif 000005
【図４】
2008049031.tif 000006
【図５】
2008049031.tif 000007